(57)【要約】      （修正有）【課題】少部品点数で、高強度のストラップ着脱具を提供する。【解決手段】１はデジタルカメラであり、デジタルカメラ１の両側面にはストラップ取付部５が備えられている。ストラップ取付部５はデジタルカメラ１の側面に対して垂直に突出した状態で保持されている。ストラップ取付部５に対し、第一の部材１０と第二の部材３０を取り付けることにより、ストラップを挿通可能にする。【選択図】図１
2016173441.tif 000002
【特許請求の範囲】
【請求項１】
太径部（６）とこの太径部より小径の細径部（７）を有する軸部材（５）に着脱されるストラップの着脱具において、
前記細径部に対して回動可能に保持される第一の部材（１０）と第二の部材（３０）によって構成され、
前記第一の部材は、前記細径部の径より大きく、太径部より小さい幅狭部（１１）を備え、
前記太径部の厚みより大きいコの字状に屈曲される屈曲部（１３）を備え、
前記幅狭部は、前記屈曲部の曲げ方向と垂直方向に形成され、
前記太径部より大きい開口部（１４）を備え、
ストラップを挿通する挿通部（１２）を備え、
前記第一の部材は、
前記軸部材の細径部を、幅狭部によって挟持しながら、前記軸部材の中心位置に前記挿通部の中央に位置する第一の位置まで移動し、
第一の位置から前記軸部材の軸方向へ移動し、前記軸部材の太径部が、前記開口部によって挟持され、軸方向以外の移動が規制される第二の位置に位置し、
前記第二の部材は、前記細径部の径より大きく、太径部より小さい幅狭部（３１）を備え、
ストラップを挿通する挿通部（３２）が備え、
前記幅狭部は、前記挿通部の方向に形成され
前記第二の部材は、
前記軸部材の細径部を、幅狭部によって挟持しながら、前記第一の部材の挿通部（１２）と前記第二の部材の挿通部（３２）が重なり合う位置に位置する第三の位置まで移動し、
第三に位置は、前記第一の部材の軸方向の移動を規制する
ことを特徴とするストラップ着脱具。
【請求項２】
前記第一の部材は金属板部材にて構成されていることを特徴とする請求項１に記載のストラップ着脱具。
【請求項３】
前記第二の部材は金属板部材にて構成されていることを特徴とする請求項１に記載のストラップ着脱具。
【請求項４】
前記第一の部材には係止部（１５）が備えられ、前記第二の部材には係止部に対応する位置に引掛け部（３５）が備えられていることを特徴とする請求項１に記載のストラップ着脱具。
【発明の詳細な説明】
【技術分野】
【０００１】
本発明は、ストラップに関するものである。詳しくは、電子機器等を吊り下げるストラップ留具に関する。
【背景技術】
【０００２】
従来より、デジタルカメラ等の可搬の電子機器には、機器を吊り下げるストラップを着脱できるようにしたものが知られている。ストラップを吊り下げることで、ユーザーが機器を持ち運びやすくする他、持ち運び時や操作時に機器の不意の落下を防止するという役割を担っている。そして中大型カメラのように重量のある機器をストラップに吊り下げて携帯する場合、吊り下げるストラップの取り付け部には強度が求められる。
【０００３】
また近年では、機器側のストラップ取り付け部には、ストラップ紐を挿通させる開口部が備えられておらず、軸部の先端を太径にしただけの簡易的な取り付け部のものが知られている。こうした取り付け部に対しては、ユーザーがストラップの交換時等に容易に着脱することを考慮し、ストラップ側の取り付け部に、軸部を挟持して着脱する特殊な機構を備えたものが知られている。
【０００４】
しかしながら、軸部を挟持する着脱機構は部品点数が多く、コストアップの要因の一つとなっている。こうした問題に対し、2つの板金部材と軸部材で機器側の凸部を挟持する構成が開示されている（特許文献１）。
【先行技術文献】
【特許文献】
【０００５】
【特許文献１】特開平１１−７００１２号公報
【発明の概要】
【発明が解決しようとする課題】
【０００６】
しかしながら、上述の従来技術では、機器側のストラップ取り付け軸部に対し、ストラップ挿通部が軸部上から一定の距離を持って構成される為、ストラップの片吊り時に、取り付け部材は引き剥がされる方向に荷重が掛かり、変形や破損の懸念がある。
【０００７】
そこで、本発明の目的は、軸部と太径部とで構成されるストラップ取り付け部に対して、部品点数を削減し、高強度のストラップ着脱具を提供することにある。
【課題を解決するための手段】
【０００８】
上記の目的を達成するために、本願に係る第一の発明は、
太径部（６）とこの太径部より小径の細径部（７）を有する軸部材（５）に着脱されるストラップの着脱具において、
前記細径部に対して回動可能に保持される第一の部材（１０）と第二の部材（３０）によって構成され、
前記第一の部材は、前記細径部の径より大きく、太径部より小さい幅狭部（１１）を備え、
前記太径部の厚みより大きい略コの字状に屈曲される屈曲部（１３）を備え、
前記幅狭部は、前記屈曲部の曲げ方向と垂直方向に形成され、
前記太径部より大きい開口部（１４）を備え、
ストラップを挿通する挿通部（１２）を備え、
前記第一の部材は、
前記軸部材の細径部を、幅狭部によって挟持しながら、前記軸部材の中心位置に前記挿通部の略中央に位置する第一の位置まで移動し、
第一の位置から前記軸部材の軸方向へ移動し、前記軸部材の太径部が、前記開口部によって挟持され、軸方向以外の移動が規制される第二の位置に位置し、
前記第二の部材は、前記細径部の径より大きく、太径部より小さい幅狭部（３１）を備え、
ストラップを挿通する挿通部（３２）が備え、
前記幅狭部は、前記挿通部の方向に形成され
前記第二の部材は、
前記軸部材の細径部を、幅狭部によって挟持しながら、前記第一の部材の挿通部（１２）と前記第二の部材の挿通部（３２）が略重なり合う位置に位置する第三の位置まで移動し、
第三に位置は、前記第一の部材の軸方向の移動を規制する
ことを特徴とする。
【発明の効果】
【０００９】
本発明によれば、少ない部品点数で、高強度のストラップ着脱具を形成することができる。
【図面の簡単な説明】
【００１０】
【図１】本発明を説明する分解図
【図２】ストラップ取付部を説明する図
【図３】第一の部材を説明する図
【図４】第二の部材を説明する図
【図５】第一の部材を取り付ける図
【図６】第二の部材を取り付ける図
【図７】ストラップを挿通する図
【発明を実施するための形態】
【００１１】
以下に、本発明の好ましい実施の形態を、添付の図面に基づいて詳細に説明する。
【００１２】
［実施例１］
以下、図１から図７を参照して、本発明の実施例について説明する。
【００１３】
図１は本発明を説明する分解図である。本発明についてはデジタルカメラを例にして説明する。１はデジタルカメラであり、デジタルカメラ１の両側面にはストラップ取付部５が備えられている。ストラップ取付部５はデジタルカメラ１の側面に対して垂直に突出した状態で保持されている。ストラップ取付部５に対し、詳細を後述する第一の部材１０と第二の部材３０を取り付けることにより、ストラップを挿通可能にする。
【００１４】
図２はストラップ取付部を説明する図である。ストラップ取付部５は、金属部材によって成形された部材であり、デジタルカメラ１の側面から細径部７、太径部６の順の構成となっている。ここではそれぞれの寸法を細径部７の径をＢ、太径部６の径をＡ、細径部７の長さをＣ、また太径部６の厚みをＤと定義して説明する。
【００１５】
図３は第一の部材１０を説明する図である。第一の部材１０は、金属板部材を外形打ち抜き加工後、曲げ加工によって形成される部材である。第一の部材１０には、金属板部材の短手方向に向かって幅狭部１１が形成されており、前述のストラップ取付部５の細径部７を挿入可能な大きさの開口となっている。また第一の部材１０にはコの字状の曲部１３が形成されている。曲部１３によって形成される曲部１３の内側寸法Ｅは、前述のストラップ取付部５の太径部６の厚み寸法Ｄに対して、「Ｅ＞Ｄ」の寸法関係にて構成されている。
【００１６】
また、曲部１３の中央部には開口部１４が形成されている。開口部１４は、前述のストラップ取付部５の太径部６の径寸法Ａより大きさの開口となっている。さらに第一の部材１０には、ストラップを挿通する挿通部１２が開口によって形成されており、挿通部１２の一部には係止部１５が形成された構成となっている。
【００１７】
次に第二の部材３０について説明する。図４は第二の部材３０を説明する図である。第二の部材３０は、金属板部材を外形打ち抜き加工後、曲げ加工によって形成される部材である。第二の部材３０には、金属板部材の長手方向に向かって幅狭部３１が形成されており、前述のストラップ取付部５の細径部７を挿入可能な大きさの開口となっている。また第二の部材３０にはコの字状の曲部３３が形成されている。
【００１８】
曲部３３によって形成される曲部３３の外側寸法Ｆは、前述の第一の部材１０の曲部１３の内側寸法Ｅに対して、「Ｅ＞Ｆ」の寸法関係にて構成されている。また第二の部材３０には、ストラップを挿通する挿通部３２が開口によって形成されている。第二の部材３０に形成される挿通部３２の開口面積は、第一の部材１０に形成される挿通部１１の開口面積と略同じに設定してある。さらに第一の部材１０の係止部１５に対応する箇所に、フック部３５が形成された構成となっている。
【００１９】
次に、デジタルカメラ１に対し、第一の部材１０と第二の部材３０の取り付け方法について説明する。
【００２０】
図５は第一の部材を取り付ける図である。まず第一の部材１０をストラップ取付部５に取り付ける。第一の部材１０の幅狭部１１をストラップ取付部５の細径部７に図５(a)矢印a方向に挿通する。図５(b)はストラップ５の細径部７に第一の部材１０の幅狭部１１が挿通された状態、第一の位置である。このとき前述したように、第一の部材１０の曲部１３によって形成される曲部１３の内側寸法Ｅは、前述のストラップ取付部５の太径部６の厚み寸法Ｄに対して、「Ｅ＞Ｄ」の寸法関係の為、第一の部材１０とストラップ取付部材５の太径部６は干渉する事無く挿通される（図５(c)）。
【００２１】
第一の位置の状態から第一の部材１０を図５(d)中矢印ｂの方向に移動させた状態が第二の位置である。このとき第一の部材１０に構成された開口部１４がストラップ取付部５の太径部６に挿入される。また、第一の部材１０を図５(d)中矢印ｂに移動させた後、ストラップ取付部５の太径部６とは寸法Ｇの距離となり、第二の部材３０の板厚よりも大きな寸法となっている。
【００２２】
図５(e)は第一の部材１０をストラップ取付部５に装着した状態である。この状態では、図５(e)中矢印ｃ方向には、第一の部材１０の開口部１４とストラップ取付部材５の太径部７の当接によって移動が規制され、また図５(e)中矢印ｄ方向は、第一の部材１０の幅狭部１１とストラップ取付部５の細径部７の当接によって移動が規制される。
【００２３】
次に、第二の部材１１の取り付け方法について説明する。図６は第二の部材を取り付ける図である。前述した第一の部材１０をストラップ取付部５に装着した第二の位置の後、第一の部材１０の挿通部１２と第二の部材３０の挿通部３２の面が向かい合う状態（図６(a)）から、図６(b)中矢印f方向に移動させる。この時、第一の部材の挿通部１２と第二の部材の挿通部３２が重なり合う位置となる（第三の位置）。さらに第一の部品１０の係止部１５と第二のフック部３５を係合する。第二の部材３０が係合することで、ストラップ取付部５の太径部６に対して第二の部材３０の幅狭部３１が図６(b)矢印g方向への移動の規制として機能し、第一の部材１０と第二の部材３０は、ストラップ取付部５の細径部７の軸回転方向にのみ回動が可能な状態となる。
【００２４】
図７はストラップを挿通する図である。前述の状態から、第一の部材１０の挿通部１２と第二の部材３０の挿通部３２にストラップ紐を挿通することにより、第一の部材１０と第二の部材３０は、ストラップ取付部５の太径部６に対して回動自由に装着された状態となり、ユーザーはストラップ紐４５を持った状態でデジタルカメラ１を吊り下げることが可能となっている。
【符号の説明】
【００２５】
１  デジタルカメラ、５  ストラップ取付部、６  太径部、７  細径部、
１０  第一の部材、１１  幅狭部、１４  開口部、３０  第二の部材、３１  幅狭部
【図１】
2016173441.tif 000003
【図２】
2016173441.tif 000004
【図３】
2016173441.tif 000005
【図４】
2016173441.tif 000006
【図５】
2016173441.tif 000007
【図６】
2016173441.tif 000008
【図７】
2016173441.tif 000009